(57)【要約】【課題】監視制御網の立ち上げの稼動作業等を低減することで、光伝送システムの保守運用を改善する。【解決手段】主信号を伝送する光通信装置の監視制御信号にＥｔｈｅｒｎｅｔ信号を用いる。実施例の監視制御網では、一つの光通信装置１０１に監視制御網用ルータ１１１を設け、それ以外の光通信装置１０２〜１０５にはＥｔｈｅｒｎｅｔスイッチ１１２〜１１５を設け、該ルータおよびスイッチにはＥｔｈｅｒｎｅｔ−ＯＳＣ変換部１３１〜１４０を結合する。監視制御網ルータもしくはスイッチからのＥｔｈｅｒｎｅｔ信号の監視制御信号は、Ｅｔｈｅｒｎｅｔ−ＯＳＣ変換部によって光監視制御信号（ＯＳＣ）に変換され、光ファイバケーブル１２１〜１２５を用いて隣接の光通信装置に伝達される。受信側では、逆変換が行われる。【選択図】        図１
2004363944.tif 000002
【特許請求の範囲】
【請求項１】
主信号を伝達する主信号チャネルと監視制御信号を伝達する監視制御チャネルを有する光伝送システムにおいて、監視制御信号にＥｔｈｅｒｎｅｔ信号を用いることを特徴とする光通信システムの監視制御信号伝送方法。
【請求項２】
前記Ｅｔｈｅｒｎｅｔ信号をＳＤＨもしくはＳＯＮＥＴフレームのペイロード部に配置することを特徴とする請求項１記載の光通信システムの監視制御信号伝送方法。
【請求項３】
複数の光通信装置が互いに光ファイバケーブルを介して結合されてなる光通信システムにおける監視制御網であって、
少なくとも一つの光通信装置に監視制御網用ルータを設け、それ以外の光通信装置には監視制御網用Ｅｔｈｅｒｎｅｔスイッチを設け、
前記ルータおよびＥｔｈｅｒｎｅｔスイッチの各々に、Ｅｔｈｅｒｎｅｔ信号の監視制御信号を光監視制御信号へ変換及びその逆変換を行う変換部を結合し、
前記光監視制御信号を光ファイバケーブルにより隣接の光通信装置側へ伝達する構成としたことを特徴とする光通信システム監視制御網。
【請求項４】
主信号を伝送する光通信装置と監視制御信号を伝送するルータもしくはＥｔｈｅｒｎｅｔスイッチとからなる光通信ノード装置において、
前記ルータもしくはスイッチからのＥｔｈｅｒｎｅｔ信号の監視制御信号を光監視制御信号へ変換及びその逆変換を行う変換部と、
前記主信号と前記変換部からの光監視制御信号を多重化して光ファイバケーブルに送信し、また、光ファイバケーブルから受信した光信号を分離し、光監視制御信号を前記変換部へ伝達する光多重分離部と、
を有することを特徴とする光通信ノード装置。
【発明の詳細な説明】
【０００１】
【発明の属する技術分野】
本発明は、光伝送システムにおける監視制御信号の伝送技術に関し、詳しくは監視制御信号伝送手段にＥｔｈｅｒｎｅｔを用いる光通信システムの監視制御信号伝送方法、光通信システム監視制御網およびその光通信ノード装置に関する。
【０００２】
【従来の技術】
従来の光伝送システムの監視制御網構成は、主信号（ユーザ信号）を伝送する光通信装置にほぼ１対１の割合で監視制御網用のルータを配置し、ルータ間は専用線等で接続するのが一般的であった（例えば、非特許文献１参照）。
【０００３】
図４に従来の構成例を示す。図４において、４０１〜４０５は光通信装置（ＯＴＮ装置）、４１１〜４１５は監視制御網用のルータである。光通信装置４０１〜４０５は光ファイバケーブルで接続され、主信号（ユーザ信号）を伝送する。一方、ルータ４１１〜４１４は専用線等で接続され、光通信装置４１１〜４１５のための監視制御信号を時分割多重等で送受信する。
【０００４】
【非特許文献１】
渡辺ほか、“Ｐｈｏｔｏｎｉｃ  ｔｒａｎｓｐｏｒｔ  ｎｅｔｗｏｒｋ  ｔｅｓｔｂｅｄ  ｏｆ  ＮＴＴ”，
ＥＣＯＣ’２０００，Ｓｅｐｔｅｍｂｅｒ，２０００
【０００５】
【発明の解決しようとする課題】
従来の光伝送システムの監視制御網構成では、光通信装置にほぼ１対１の割合で監視制御網用のルータを配置して光通信装置を管理するため、多数のルータが必要であり、なおかつそれらを正しく設定する必要があった。
【０００６】
本発明は、このような従来の光伝送システムの監視制御網構成における問題に鑑みなされたもので、光通信装置の監視制御網ルータの設置を必要最小限にして、監視制御網構築のための稼動を低減することで、光伝送システムの保守運用の効率化を実現することを目的とする。
【０００７】
【課題を解決するための手投】
本発明は、主信号を伝送する主信号チャネルと監視制御信号を伝達する監視制御チャネルを有する光伝送システムにおいて、監視制御信号の伝達手段にＥｔｈｅｒｎｅｔを採用する。
すなわち、本発明では、主信号を伝送する光通信装置の監視制御信号をＥｔｈｅｒｎｅｔにより透過的に伝送し、監視制御網用ルータは必要最小限にして、該ルータの代りにＥｔｈｅｒｎｅｔスイッチ、Ｅｔｈｅｒｎｅｔ−ＯＳＣ変換手段を用いる。これにより、Ｅｔｈｅｒｎｅｔセグメント（ネットワーク単位）を広げることができ、一つのＥｔｈｅｒｎｅｔセグメントによって複数の光通信装置を管理することが可能となる。
【０００８】
【発明の実施の形態】
以下、本発明の実施形態について図面を用いて説明する。
図１に本発明の一実施例のネットワークの全体構成を示す。図１において、１０１〜１０５は光通信装置（ＯＴＮ装置）、１１１は監視制御網用ルータ、１１２〜１１５は監視制御網用Ｅｔｈｅｒｎｅｔスイッチ（ＳＷ）、１２１〜１２５は伝送路用ファイバケーブル、１３１〜１４０はＥｔｈｅｒｎｅｔ−ＯＳＣ変換部（ＣＶ）、１４１〜１４５はインタフェース線である。なお、太線は主信号経路、中太線は監視制御チャネルを表わしている。
【０００９】
光通信装置１０１〜１０５は光ファイバケーブル１２１〜１２５を介し、互いに主信号（ユーザ信号）を伝達する。また、光通信装置１０１〜１０５とルータ１１１もしくはＥｔｈｅｒｎｅｔスイッチ１１２〜１１５とは、それぞれインタフェース１４１〜１４５を介し、Ｅｔｈｅｒｎｅｔ信号（Ｅｔｈｅｒｎｅｔフレーム）の監視制御信号を送受信する。
【００１０】
監視制御網用ルータ１１１もしくはＥｔｈｅｒｎｅｔスイッチ１１２〜１１５はＥｔｈｅｒｎｅｔ−ＯＳＣ変換部１３１〜１４０と結合され、ルータ１１１もしくはＥｔｈｅｒｎｅｔスイッチ１１２〜１１５からのＥｔｈｅｒｎｅｔ信号の監視制御信号は、Ｅｔｈｅｒｎｅｔ−ＯＳＣ変換部によってＥｔｈｅｒｎｅｔ信号から光監視制御信号（ＯＳＣ：Ｏｐｔｉｃａｌ  Ｓｕｐｅｒｖｉｓｏｒｙ  Ｃｈａｎｎｅｌ）に変換され、当該ノードの光通信装置１０１〜１０５に入力され、光ファイバケーブル１２１〜１２５を用いて隣接の光通信装置に伝達される。受信側ノードでは、光監視制御信号がＥｔｈｅｒｎｅｔ−ＯＳＣ変換部によってＥｔｈｅｒｎｅｔ信号の監視制御信号に逆変換され、ルータ１１１もしくはＥｔｈｅｒｎｅｔスイッチ１１２〜１１５に入力される。なお、光監視制御信号（ＯＳＣ）についてはＩＴＵ−Ｔ勧告Ｇ．８７２に記述されており、これに準拠する。
【００１１】
図１は一つのＥｔｈｅｒｎｅｔセグメントの監視ネットワークを示すものであり、この例では、監視制御網用ルータは１個に限定し、代りにＥｔｈｅｒｎｅｔスイッチ１１２〜１１５、Ｅｔｈｅｒｎｅｔ−ＯＳＣ変換部１３１〜１４０を用い、Ｅｔｈｅｒｎｅｔ信号を透過的に伝送することで、一つのＥｔｈｅｒｎｅｔセグメントによって５台の光通信装置１０１〜１１５を管理している。勿論、管理する光通信装置の数は５台である必要はない。
【００１２】
図２に本発明の一実施例の光通信ノード装置の構成例を示す。図２において、２００は光通信装置、２１０は監視制御網用ルータもしくはＥｔｈｅｒｎｅｔスイッチ、２２０−１〜２２０−ｎはＥｔｈｅｒｎｅｔ−ＯＳＣ変換部である。光通信装置２００は、主信号を処理する主信号部２０１、該主信号部２０１を含めた光通信装置全体の監視制御を行う監視制御部２０２から構成される。監視制御部２０２は、インターフェース線２１５を介し、監視制御用ルータもしくはスイッチ２１０との間でＥｔｈｅｒｎｅｔ信号の監視制御信号を送受信する。監視制御網用ルータもしくはＥｔｈｅｒｎｅｔスイッチ２１０は、光通信装置２００の監視制御部２０２とＥｔｈｅｒｎｅｔ−ＯＳＣ変換２２０−１〜２２０−ｎ、あるいはＥｔｈｅｒｎｅｔ−ＯＳＣ変換部２２０−１〜２２０−ｎのうちの１対１、１対ｍ、ｍ対ｍ（ｍ≧２）等を選択して、Ｅｔｈｅｒｎｅｔ信号の監視制御信号を送受信する。Ｅｔｈｅｒｎｅｔ−ＯＳＣ変換部２２０−１〜２２０−ｎはＥｔｈｅｒｎｅｔ信号の監視制御信号から光監視制御信号（ＯＳＣ）への変換あるいはその逆変換を行う。光通信装置２００の主信号部２０１は、光通信装置の種類によって機能が異なるが、ここでは、少なくとも波長多重分離部２０１０−１〜２０１０−ｎを備えて、少なくとも１以上の主信号と少なくとも１以上の光監視制御信号（ＯＳＣ）とを合波、分波する機能を有するものとする。
【００１３】
以下に、監視制御チャネルの信号の流れについて説明する。監視制御網用ルータもしくはＥｔｈｅｒｎｅｔスイッチ２１０から出力されたＥｔｈｅｒｎｅｔ信号の監視制御信号は、Ｅｔｈｅｒｎｅｔ−ＯＳＣ変換部２２０−１〜２２０−ｎの一つあるいは複数のいずれかに入力され、そこで光監視制御信号（ＯＳＣ）のフォーマット、ビットレットと整合される。ＩＴＵ−Ｉ勧告Ｇ．８７２では、ＯＳＣの信号フォーマットが特に規定されていないため、例えばＳＤＨ（Ｓｙｎｃｈｒｏｎｏｕｓ  Ｄｉｇｉｔａｌ  Ｈｉｅｒａｒｃｋｙ；同期デジタルハイアラーキ）／ＳＯＮＥＴ（Ｓｙｎｃｈｒｏｎｏｕｓ  Ｏｐｔｉｃａｌ  Ｎｅｔｗｏｒｋ；光同期伝送網）フレームフォーマットを用いる場合にはＥｔｈｅｒｎｅｔ信号をペイロード部に配置する。Ｅｔｈｅｒｎｅｔ−ＯＳＣ変換部２２０−１〜２２０−ｎの出力（光監視制御信号）は、光通信装置２００の主信号部２０１にある波長多重分離部２０１０−１〜２０１０−ｎの対応するものにて主信号と波長多重され、光ファイバケーブル２３０を用いて隣接ノードに伝達される。一方、光ファイバケーブル２３０から伝達された光信号は波長多重分離部２０１０−１〜２０１０−ｎにて分波され、光監視制御信号（ＯＳＣ）がＥｔｈｅｒｎｅｔ−ＯＳＣ変換部２２０−１〜２２０−ｎに入力される。該Ｅｔｈｅｒｎｅｔ−ＯＳＣ変換部２２０−１〜２２０−ｎにおいて、ＯＳＣ用のフォーマットビットレートからＥｔｈｅｒｎｅｔ信号の監視制御信号に復元され、監視制御網用ルータもしくはＥｔｈｅｒｎｅｔスイッチ２１０に入力される。
【００１４】
図３にＥｔｈｅｒｎｅｔ−ＯＳＣ変換部の構成例を示す。Ｅｔｈｅｒｎｅｔ−ＯＳＣ変換部３００は、Ｅｔｈｅｒｎｅｔ−ＩＦ部３１０、Ｅｔｈｅｒｎｅｔ  ＳＥＲＤＥＳ部３２０、マッピング部３３０、ＯＳＣ  ＳＥＲＤＥＳ部３４０、ＯＳＣ−ＩＦ部３５０から構成される。Ｅｔｈｅｒｎｅｔとの物理インターフェース部３１０はＥｔｈｅｒｎｅｔの物理層のインターフェースである。Ｅｔｂｅｒｎｅｔには様々な物理層規格があるので、このＥｔｈｅｒｎｅｔ−ＩＦ部３１０で所望の物理層規格からＥｔｈｅｒｎｅｔフレームを取り出し、またその逆変換を行う。Ｅｔｈｅｒｎｅｔ  ＳＥＲＤＥＳ部３２０はＥｔｈｅｒｎｅｔ信号をマッピング部３３０のインタフェース条件に合わせる変換部である。ここでは、マッピング部３３０に対してはパラレル信号に、Ｅｔｂｅｒｎｅｔ−ＩＦ部３１０に対してはシリアル信号に変換を行う。マッピング部３３０は、入力されたＥｔｈｅｒｎｅｔフレームをＯＳＣのフレームに変換し、またその逆変換であるＯＳＣのフレームをＥｔｈｅｒｎｅｔフレームに変換する。ＯＳＣ  ＳＥＲＤＥＳ部３４０はＯＳＣ信号をマッピング部３３０のインターフェース条件に合わせる処理部である。特にＳＤＨ／ＳＯＮＥＴ規格を用いる場合にはそのＬＳＩなどをそのまま使うことができる。ＯＳＣ−ＩＦ部３５０はトランシーバで、光信号の送受信を行う部分である。このＯＳＣ−ＩＦ部３５０では、受信された光信号をシリアルの電気信号に変換するとともに、電気信号を光信号として送信する。
【００１５】
以上、本発明の実施例について説明したが、本発明は図１乃至図３の構成に限定されるものでないことは云うまでもない。
【００１６】
【発明の効果】
以上説明したように、本発明によれば、複数の光通信装置を１つのＥｔｈｅｒｎｅｔセグメントで管理することができるのでネットワーク管理を効率化することが可能になる。
【図面の簡単な説明】
【図１】本発明の一実施例の光通信システム監視制御網の全体構成図である。
【図２】本発明の一実施例の光通信ノード装置の構成図である。
【図３】光通信ノード装置に用いられるＥｔｈｅｒｎｅｔ−ＯＳＣ変換部の構成例である。
【図４】従来の光通信システム監視制御網の構成例である。
【符号の説明】
１０１〜１０５  光通信装置
１１１  監視制御網用ルータ
１１２〜１１５  監視制御網用Ｅｔｈｅｒｎｅｔスイッチ
１２１〜１２５  光ファイバケーブル
１３１〜１４０  Ｅｔｈｅｒｎｅｔ−ＯＳＣ変換部
２００  光通信装置
２０１  主信号部
２０１０−１〜２０１０−ｎ  波長多重分離部
２０２  監視制御部
２１０  監視制御網用ルータもしくはＥｔｈｅｒｎｅｔスイッチ
２２０−１〜２２０−ｎ  Ｅｔｈｅｒｎｅｔ−ＯＳＣ変換部
【図１】
2004363944.tif 000003
【図２】
2004363944.tif 000004
【図３】
2004363944.tif 000005
【図４】
2004363944.tif 000006